(57)【要約】      （修正有）【課題】航空券や搭乗券等を入れるチケットホルダーの紙面に地図表示部を設けて、施設内をスムーズに移動しうる案内表示付きチケットホルダーを提供する。【解決手段】航空券または搭乗券を入れる封筒状のチケットホルダー１、またはこれに附属するパンフレットの紙面に地図表示部１０を設け、図示した施設マップの出発ゲートの全部または一部にゲート番号を表示すると共に、前記施設マップに近接した位置に、チケットホルダーに収納するチケットの出発ゲート番号を記載しうるゲート番号表示部１２を設けて構成する。【選択図】図１
0003148000.tif 000002
【実用新案登録請求の範囲】
【請求項１】
航空券または搭乗券を入れる封筒状のチケットホルダーの紙面に地図表示部を設け、搭乗に関連して使用する施設マップを表示してなる案内表示付きチケットホルダーにおいて、
該地図表示部に図示した施設マップの出発ゲートの全部または一部にゲート番号が表示されていると共に、前記施設マップに近接した位置に、チケットホルダーに収納するチケットの出発ゲート番号を記載しうるゲート番号表示部が設けられていることを特徴とする案内表示付きチケットホルダー。
【請求項２】
地図表示部に、施設マップの所定位置と、該所定位置からゲート番号表示部に表示された出発ゲートまでの路順を記入しうる路順記入部が設けられていることを特徴とする請求項１に記載の案内表示付きチケットホルダー。
【請求項３】
地図表示部が、紙面の表裏、または複数に折畳みあるいは複数枚を綴じた紙面に複数設けられており、
該複数の地図表示部に、同一の施設の異なるフロアーの施設マップがそれぞれ表示されてなることを特徴とする請求項１または２に記載のチケットホルダー。
【請求項４】
飛行機の搭乗券を入れる封筒状のチケットホルダーに附属するパンフレットの紙面に搭乗に関連して使用する施設マップを表示した地図表示部を設け、
該地図表示部に図示した施設マップの出発ゲートの全部または一部にゲート番号が表示されていると共に、前記地図表示部に近接した位置に、チケットホルダーに収納するチケットの出発ゲート番号を記載しうるゲート番号表示部が設けられていることを特徴とする案内表示付きチケットホルダー。
【考案の詳細な説明】
【技術分野】
【０００１】
この考案は、航空券または搭乗券を入れる封筒状のチケットホルダーの紙面に案内表示を施した案内表示付きチケットホルダーの改良に関する。
【背景技術】
【０００２】
従来、航空切符入のカバーに広告小冊子を一体に接着した構造が知られている（特開昭５８−３１７９７号）。
しかし、この構造では、航空切符入と広告小冊子とがそれぞれの機能を有するだけであり、有機的に結合されるものではなかった。
航空切符入には、その紙面に、慣用的に広告が表示されている程度で、これを所持する者にとっては単なる収納袋としての機能しか有していなかった。
一方、ターミナルの利用に慣れていない旅行者にとっては、ターミナル内のゲートや関連施設は掲示板を調べながらでないと分からないが、いちいち掲示板まで戻って調べることは不便である。
そこで、本出願人は、実用新案登録第３０９４７０２号で、航空券または搭乗券を入れる封筒状のチケットホルダーの紙面に表示部を設け、搭乗に関連して使用する施設などの案内情報を表示した案内表示付きチケットホルダーを提案した。
しかし、施設の案内情報だけでは、使用者がその情報を時間をかけて読みこなす必要があるため、短時間で理解しやすい表示構成が望まれていた。
【０００３】
【特許文献１】特開昭５８−３１７９７号
【特許文献２】実用新案登録第３０９４７０２号
【考案の開示】
【考案が解決しようとする課題】
【０００４】
この考案は上記事情に鑑みて創案されたものであって、その主たる課題は、航空券または搭乗券を入れる封筒状のチケットホルダーの紙面に案内表示を施して、スムーズにターミナル内を移動して搭乗することができるようにした案内表示付きチケットホルダーを提供することにある。
この考案の別の課題は、上記案内表示をチケットホルダーに附属するパンフレットの紙面に表示した案内表示付きチケットホルダーを提供することにある。
【課題を解決するための手段】
【０００５】
上記課題を達成するために、請求項１の考案では、
航空券または搭乗券を入れる封筒状のチケットホルダーの紙面に地図表示部を設け、搭乗に関連して使用する施設マップを表示してなる案内表示付きチケットホルダーにおいて、
該地図表示部に図示した施設マップの出発ゲートの全部または一部にゲート番号が表示されていると共に、前記地図表示部に近接した位置に、チケットホルダーに収納するチケットの出発ゲート番号を記載しうるゲート番号表示部が設けられていることを特徴とする。
また、請求項２の考案では、
前記地図表示部に、施設マップの所定位置と、該所定位置からゲート番号表示部に表示された出発ゲートまでの路順を記入しうる路順記入部が設けられていることを特徴とする。
更に、請求項３の考案では、
地図表示部が、紙面の表裏、または複数に折畳みあるいは複数枚を綴じた紙面に複数設けられており、
該複数の地図表示部に、同一の施設の異なるフロアーの施設マップがそれぞれ表示されてなることを特徴とする。
また、請求項４の考案では、
飛行機の搭乗券を入れる封筒状のチケットホルダーに附属するパンフレットの紙面に搭乗に関連して使用する施設マップを表示した地図表示部を設け、
該地図表示部に図示した施設マップの出発ゲートの全部または一部にゲート番号が表示されていると共に、前記地図表示部に近接した位置に、チケットホルダーに収納するチケットの出発ゲート番号を記載しうるゲート番号表示部が設けられていることを特徴とする。
【考案の効果】
【０００６】
この考案は、チケットホルダーに収納されるチケットに関連した施設マップとゲート番号表示部とを表示した地図表示部を有しているので、チケットを取り出さなくても、目的の出発ゲート番号を容易に知ることができ、極めて利便性が高い。
また、施設マップに路順記入部を設けておけば、これに記入された出発ゲートまでの路順を見ることで、不馴れな施設内であっても迷わずに目的のゲートまで行くことができる。
また、この案内情報は、チケットホルダーまたはこれに附属するパンフレットに表示することもできるので、特別の案内シートを用意する必要がなく、チケットホルダーやパンフレットの付加価値を高めることができる。
【考案を実施するための最良の形態】
【０００７】
以下に、この考案の案内表示付きチケットホルダーについて、航空券のチケットホルダーに適用した場合を例にして説明する。
【実施例１】
【０００８】
図１に示すチケットホルダー１は、紙製からなっており、背の部分となる本体片２の上部を折り返してカバー片３とし、下部を折り返して受片４とし、該受片４と本体片２の少なくとも一方の側片を接着して袋状となし、前記受片４にカバー片３が重なるように形成された公知構成からなっている。
【０００９】
本実施例では、チケットホルダー１の上記受片４の表面に、地図表示部（表示エリア）１０が形成されている。
この地図表示部１０には、１または複数のターミナルビルの案内図など搭乗に関連する案内情報が表示されている。
【００１０】
対象空港として一例を挙げると、成田空港、関西空港、羽田空港、名古屋空港、中部国際空港などがあり、施設マップの一例としては、マップ中に、チェックインカウンターや、出発ゲート案内の表示、エレベータや出発ゲート、宅配便カウンター等の空港内の施設を表示している。
しかし、この考案では上記例示した空港の情報に限定されるものではないことは勿論である。
【００１１】
この考案では、施設マップに表示した出発ゲートの全部に、またはその一部にゲート番号が表示されている。
図面では、ターミナルゲートに○印を付しており、該○印中にゲート番号が記載されるが、図ではゲート番号を省略して表示している。
【００１２】
また前記地図表示部１０に近接した位置に、出発ゲート番号を記載しうるゲート番号表示部１２が設けられている
従って、チケットホルダー１に収納するチケットの出発ゲート番号を記載しておくことで、チケットをチケットホルダー１から取り出さなくても出発ゲート番号を認識することができる。
【００１３】
上記ゲート番号表示部１２と共に、該出発ゲートからの搭乗時刻を表示する搭乗時刻表示部１３を設けてもよい。
これにより、チケットホルダー１に収納するチケットの出発ゲートと搭乗時刻が上記表示部１２、１３を見ることで把握することができるので、便利である。
更に、搭乗する便名を表示する欄などを設けてもよい。
【００１４】
また、本実施例では、前記地図表示部１０に表示された施設マップには、施設マップの任意の位置からゲート番号表示部１２に表示された出発ゲートまでの路順を記入しうる路順記入部１５が設けられている。
路順記入部１５は、施設マップの通路部分に添って記入するもので、フェルトペン等で直接に記入するものでもよいし、予め印刷しておくものでもよい。
【００１５】
例えば、施設マップの所定位置、例えばマップ上の現在位置やチェックインカウンターの位置から出発ゲートまでのルートを線図で書き入れるなどして路順を表示する。
これにより、施設マップの路順通りに移動することで、容易に出発ゲート等の目的地にたどり着くことができる。
【実施例２】
【００１６】
図２に示すチケットホルダー１は、受片４に、地図表示部１０と案内情報等の案内表示欄１１とを設けている。
該案内表示欄１１には、地図表示部１０に関連する情報あるいは別の情報を表示することができる。
例えば地図表示部１０のマップ中に用いられたマークの説明や、マークの付された施設の電話番号、その施設の開店時間、その他の各種情報を表示する。
あるいは、時刻表やスケジュールなどを表示していてもよい。
【００１７】
地図表示部１０に施設マップを表示する方法としては、受片４に直接印刷する方法、印刷したシートを受片４に貼り付ける方法、受片４の紙面に切り込みなどの掛止部を設け、施設マップを印刷したシートを掛止部に掛け止める方法などであってもよい。
【００１８】
上記実施例１、２では、地図表示部１０を受片４の表面に設けた場合を例示したが、この考案では地図表示部１０は、チケットホルダー１の本体片２、カバー片３、受片４のいずれの表面、または裏面であってもよい。
【００１９】
また、チケットホルダー１の構造も前記実施例に限定されず、要するに航空券または搭乗券を収納することができる構造であればよい。
例えばチケットホルダー１が透明な袋状からなる場合、これに重ねて施設マップを印刷した紙片の地図表示部１０を挿入するものでもよい。
【実施例３】
【００２０】
図３に示すチケットホルダー１は、受片４の上に折り重ねられる受片延長片４’を有した異なる実施例を示す。
即ち、受片４と受片延長片４’とは上下に重なるので、それぞれに地図表示部１０、１０’を設けることで、２種類の施設マップを表示することができる。
例えば、同じ施設での異なるフロアーのマップを表示してもよい。
【００２１】
例えば、受片４の地図表示部１０には、１階の施設マップを表示し（図示せず）、受片延長片４’には４階の施設マップを表示する等である。
これにより、地図表示部１０の１階の施設マップには、カウンターからエスカレータまでの路順を路順記入部１５に表示し、地図表示部１０’の３階の施設マップには、エスカレータから出発ゲートまでの路順を路順記入部１５’に表示しすることができ、異なるフロアー間のマップおよび路順を関連づけて表示することができる。
【００２２】
上記実施例では受片４の端部を延長して折り返す構成を例示したが、受片４に１または複数枚の紙片を上下に重ねて綴じ、上側をめくりながら、複数の施設マップ（例えば異なるフロアーのマップ）を見れるようにしてもよい。
また、受片４には案内表示欄を設け、受片延長片４’に地図表示部１０を設ける構成、あるいは逆に受片４に地図表示部１０を設け、受片延長片４’に案内表示欄を設ける構成でもよい。
【実施例４】
【００２３】
図４に示すチケットホルダー１は、これに附属する紙製のパンフレット５を有している。
このパンフレット５の紙面の全部または一部に、地図表示部１０が形成されている。
【００２４】
そして、前記実施例と同様に、地図表示部１０には、１または複数の施設マップと、ゲート番号表示部１２とが表示されている。
また、必要に応じて、路順記入部１５を設けてもよい。
更に、搭乗時刻表示部１２や便名を表示する欄を付加しても良い。
このパンフレット５自体は、各種商品やサービスの広告ないし情報を記載したパンフレットでもよいが、この地図表示部１０のみを表示した紙片であってもよい。
【００２５】
また、チケットホルダー１の構造が限定されないこと、および表示される情報も上記実施例に限定されるものでないことは、前記実施例と同じである。
その他、要するにこの考案の要旨を変更しない範囲で種々設計変更しうること勿論である。
【図面の簡単な説明】
【００２６】
【図１】チケットホルダーの実施例１を示す斜視図である。
【図２】案内表示の異なる組合せを示す実施例２の斜視図である。
【図３】チケットホルダーの他の実施例３を示す斜視図である。
【図４】パンフレットに案内表示を施した異なる実施例４の斜視図である。
【符号の説明】
【００２７】
１      チケットホルダー
２      本体片
３      カバー片
４      受片
５      パンフレット
１０      地図表示部
１１      案内表示欄
１２      ゲート番号表示部
１３      搭乗時刻表示部
１５      路順記入部
【図１】
0003148000.tif 000003
【図２】
0003148000.tif 000004
【図３】
0003148000.tif 000005
【図４】
0003148000.tif 000006